(57)【要約】【課題】皮膚に対し低刺激であっても泡量が十分でないという、アミノ酸系界面活性剤およびアミノ酸系界面活性剤と他の界面活性剤との組み合わせによる洗浄剤組成物が有する課題を解決しうる、皮膚に対する刺激が緩和であり、かつ豊かな泡立ちを有する洗浄剤組成物を提供する。【解決手段】下記成分（Ａ）及び成分（Ｂ）を含有し、成分（Ａ）と成分（Ｂ）の質量比  （Ａ）／（Ｂ）が０．５〜２．１であることを特徴とする洗浄剤組成物。（Ａ）Ｎ−アシルアスパラギン酸及びその塩（Ｂ）Ｎ−アシルメチルタウリンＭｇ【選択図】なし【特許請求の範囲】
【請求項１】
下記成分（Ａ）及び成分（Ｂ）を含有し、成分（Ａ）と成分（Ｂ）の質量比  
（Ａ）／（Ｂ）が０．５〜２．１であることを特徴とする洗浄剤組成物。
（Ａ）Ｎ−アシルアスパラギン酸及びその塩
（Ｂ）Ｎ−アシルメチルタウリンＭｇ
【発明の詳細な説明】
【技術分野】
【０００１】
本発明は、洗浄剤組成物に関し、詳しくは、皮膚に対する刺激が緩和であり、豊かな泡立ちを有する洗浄剤組成物に関する。
【背景技術】
【０００２】
近年、自分が敏感肌であると認識する消費者が増加しており、洗浄剤組成物においても洗浄機能だけでなく、皮膚に対する刺激緩和性等といった付加価値的機能を備えることが求められてきている。中でも洗顔やボディソープといった皮膚に直接的に触れ使用する形態の洗浄剤組成物は、その効果が特に求められるものである。また、一方で泡立ちの良さや泡の心地よさといった付加価値も求められている機能の一つである。
【０００３】
その観点から、皮膚に近いｐＨ領域での応用が可能であり、皮膚に対する刺激性の低いアミノ酸系界面活性剤を注目されている中、アミノ酸系界面活性剤、ベタイン系両性界面活性剤、ノニオン性界面活性剤を組み合わせて、低刺激であり、高粘度で調製可能な洗浄剤組成物（例えば特許文献１）や、高級脂肪酸塩、アシルグリシン塩、アシルアスパラギン酸塩、アシルメチルタウリン塩を組み合わせて、洗浄性、バイオフィルム除去性、皮膚低刺激性を有した洗浄剤組成物（例えば特許文献２）、Ｎ−アシルグルタミン酸塩、及びＮ−アシルアスパラギン酸塩を組み合わせることで、皮膚に対して柔和で、きめが細かく、泡の肌への密着性が良い洗浄剤組成物（例えば特許文献３）などが開発されている。
【０００４】
しかしながら、これらの洗浄剤組成物はアミノ酸系界面活性剤の皮膚に対する緩和性といった特長は活かしているものの、消費者が洗顔やボディソープといった洗浄料を使用する上で不可欠要素である豊富な泡量といった観点で不十分であった。
【０００５】
このような背景から、皮膚に対する刺激が緩和であり、豊かな泡立ちを有する洗浄剤組成物が求められている。
【先行技術文献】
【特許文献】
【０００６】
【特許文献１】特開２０１６−０７４９０５号公報
【特許文献２】特開２０１５−１０５２６２号公報
【特許文献３】特開２０１４−００５２３０号公報
【発明の開示】
【発明が解決しようとする課題】
【０００７】
上記従来技術を背景とした本発明の目的は、皮膚に対する刺激が緩和であり、豊かな泡立ちを有する洗浄剤組成物を提供することにある。
【課題を解決するための手段】
【０００８】
本発明者等は、本発明の目的を達成するために鋭意研究した結果、Ｎ−アシルアスパラギン酸及びその塩とＮ−アシルメチルタウリンＭｇを組み合わせることにより、皮膚に対する刺激が緩和であり、豊かな泡立ちを有する洗浄剤組成物が得られることを見出し、本発明を完成した。
【０００９】
すなわち、本発明は、
下記成分（Ａ）及び成分（Ｂ）を含有し、成分（Ａ）と成分（Ｂ）の質量比  
（Ａ）／（Ｂ）が０．５〜２．１であることを特徴とする洗浄剤組成物である。
（Ａ）Ｎ−アシルアスパラギン酸及びその塩
（Ｂ）Ｎ−アシルメチルタウリンＭｇ
【発明の効果】
【００１０】
本発明によれば、皮膚に対する刺激が緩和であり、豊かな泡立ちを有する洗浄剤組成物を提供することができる。
【発明を実施するための形態】
【００１１】
以下、本発明の洗浄剤組成物について詳細に説明する。
【００１２】
本発明の洗浄剤組成物で用いられる成分（Ａ）はＮ−アシルアスパラギン酸及びその塩である。かかるアシル基は炭素原子数８〜２２の脂肪酸残基が好ましく、例えばラウリン酸、ミリスチン酸、パルミチン酸、ステアリン酸、イソステアリン酸、オレイン酸などの単一のアシル基や、ヤシ油脂肪酸、牛脂脂肪酸、ヒマシ油脂肪酸、オリーブ油脂肪酸、パーム油脂肪酸などから誘導されるアシル基、又はそれらの混合物が挙げられる。アミノ酸系界面活性剤の塩としては、例えばナトリウム塩、カリウム塩等のアルカリ金属塩、低級アルカノールアミン塩などが挙げられるが、好ましくは、ナトリウム塩、カリウム塩である。
【００１３】
本発明の洗浄剤組成物で用いられる成分（Ａ）Ｎ−アシルアスパラギン酸及びその塩を具体的に例示すれば、ラウロイルアスパラギン酸Ｎａ、ミリストイルアスパラギン酸Ｎａ、オレイルアスパラギン酸Ｎａ等が挙げられる。本発明の洗浄剤組成物には、これらＮ−アシルアスパラギン酸Ｎａを１種単独又は２種以上を組み合わせて用いることができる。
【００１４】
本発明の洗浄剤組成物で用いられる成分（Ｂ）はＮ−アシルメチルタウリンＭｇである。かかるアシル基は炭素原子数８〜２２の脂肪酸残基が好ましく、例えばラウリン酸、ミリスチン酸、パルミチン酸、ステアリン酸、イソステアリン酸、オレイン酸などの単一のアシル基や、ヤシ油脂肪酸、牛脂脂肪酸、ヒマシ油脂肪酸、オリーブ油脂肪酸、パーム油脂肪酸などから誘導されるアシル基、又はそれらの混合物が挙げられる。
【００１５】
本発明の洗浄剤組成物で用いられる成分（Ｂ）Ｎ−アシルメチルタウリンＭｇを具体的に例示すれば、ラウロイルメチルタウリンＭｇ、ミリストイルメチルタウリンＭｇ、オレイルメチルタウリンＭｇ等が挙げられる。本発明の洗浄剤組成物には、これらＮ−アシルメチルタウリンＭｇを１種単独又は２種以上を組み合わせて用いることができる。
【００１６】
本発明の洗浄剤組成物において、成分（Ａ）／成分（Ｂ）は０．５〜２．１が好ましく、より好ましくは０．７〜１．５である。０．５未満または２．１を超えると、２成分の相乗効果は得られず、豊かな泡量を実現できない。
【００１７】
本発明の洗浄剤組成物は、上述した成分の他に、本発明の目的を損なわない範囲で他の成分、例えば、アニオン界面活性剤、カチオン界面活性剤、両性界面活性剤、ノニオン界面活性剤、粉体（顔料、色素、樹脂等）、生理活性成分、酸化防止剤、金属イオン封鎖剤、防腐剤、紫外線吸収剤、香料、保湿剤、塩類、溶媒、パール化剤、中和剤、昆虫忌避剤、酵素等の成分を適宜配合することができる。
【００１８】
上記アニオン界面活性剤としては、特に限定されるものではなく、例えばラウリル硫酸トリエタノールアミン、ラウリル硫酸アンモニウム、ラウリルエーテル硫酸ナトリウム、ポリオキシエチレンラウリルエーテル硫酸ナトリウム、ポリオキシエチレンヤシ油脂肪酸アミドエーテル硫酸カリウム、ラウリルリン酸ナトリウム、ポリオキシエチレンラウリルエーテル酢酸ナトリウム等が挙げられ、適宜一種又は二種以上選択して用いればよい。
【００１９】
上記両性界面活性剤としては、特に限定されるものではないが、例えばラウリン酸アミドプロピルベタイン、ヤシ油脂肪酸アミドプロピルベタイン、ラウリルジメチルアミノ酢酸ベタイン、２−アルキル−Ｎ−カルボキシメチル−Ｎ−ヒドロキシエチルイミダゾリニウムベタイン、ラウリルアミノジ酢酸ナトリウム、β−アミノプロピオン酸ナトリウム、Ｎ−ラウロイル−Ｎ’−カルボキシメチル−Ｎ’−ヒドロキシエチルエチレンジアミンナトリウム等が挙げられ、適宜一種又は二種以上選択して用いればよい。
【００２０】
上記ノニオン界面活性剤としては、特に限定されるものではないが、例えばポリオキシエチレンセチルエーテル、モノステアリン酸ソルビタン、トリイソステアリン酸ポリオキシエチレンソルビタン、デシルグルコシド、ラウリルグルコシド、ポリオキシエチレン硬化ヒマシ油、ポリオキシエチレンモノイソステアレート、ポリオキシエチレンジオレイン酸グリセリル、ヤシ油脂肪酸ジエタノールアミド、ヤシ油脂肪酸モノエタノールアミド、ヤシ油脂肪酸Ｎ−メチルエタノールアミド、ポリオキシエチレンポリオキシプロピレングリコール、モノラウリン酸ポリエチレングリコール等が挙げられ、適宜一種又は二種以上選択して用いればよい。
【００２１】
また、上記粉体としては、例えば赤色２０１号、黄色４号、青色１号、黒色４０１号等の色素、黄色４号Ａｌレーキ、黄色２０３号Ｂａレーキ等のレーキ色素、ナイロンパウダー、シルクパウダー、シリコーンパウダー、セルロースパウダー、シリコーンエラストマー球状粉体、ポリエチレン末等の高分子、黄酸化鉄、赤色酸化鉄、酸化クロム、カーボンブラック、群青、紺青等の有色顔料、酸化亜鉛、酸化チタン等の白色顔料、タルク、マイカ、セリサイト、カオリン等の体質顔料、雲母チタン等のパール顔料、硫酸バリウム、炭酸カルシウム、炭酸マグネシウム、珪酸マグネシウム等の金属塩、シリカ、アルミナ等の無機粉体、ベントナイト、スメクタイト、窒化ホウ素等が挙げられる。これらの粉体の形状（球状、棒状、針状、板状、不定形状、燐片状、紡錘状など）に特に制限はない。
【００２２】
上記生理活性成分としては、皮膚に塗布した場合に皮膚に何らかの生理活性を与える物質が挙げられる。例えば、抗炎症剤、老化防止剤、紫外線防御剤、ひきしめ剤、抗酸化剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分等が挙げられる。上記生理活性成分は、天然系の植物抽出成分、海藻抽出成分、生薬成分や、化合物等が挙げられるが、これらの中でも、特に天然系の植物抽出成分、海藻抽出成分、生薬成分が安全性の点で好ましい。
【００２３】
上記天然系の植物抽出成分、海藻抽出成分、生薬成分の例としては、例えばアシタバエキス、アマチャエキス、アルテアエキス、アロエエキス、アンズエキス、イチョウエキス、ウイキョウエキス、ウーロン茶エキス、エイジツエキス、オウゴンエキス、オウバクエキス、オトギリソウエキス、オランダカラシエキス、オレンジエキス、海水乾燥物、海藻エキス、加水分解コムギ末、加水分解シルク、カモミラエキス、カロットエキス、カワラヨモギエキス、甘草エキス、カキョクエキス、キウイエキス、キューカンバーエキス、クチナシエキス、クマザサエキス、クララエキス、クルミエキス、グレープフルーツエキス、クロレラエキス、クワエキス、紅茶エキス、酵母エキス、コラーゲン、サルビアエキス、サボンソウエキス、サンザシエキス、ジオウエキス、シコンエキス、シソエキス、シナノキエキス、シャクヤクエキス、シラカバエキス、スギナエキス、セイヨウキズタエキス、セイヨウサンザシエキス、セイヨウニワトコエキス、セイヨウノコギリソウエキス、セイヨウハッカエキス、セージエキス、センキュウエキス、センブリエキス、ダイズエキス、タイソウエキス、タイムエキス、茶エキス、チョウジエキス、チンピエキス、トウキエキス、トウニンエキス、ドクダミエキス、トマトエキス、納豆エキス、ニンジンエキス、ニンニクエキス、ノバラエキス、蜂蜜、ハマメリスエキス、ヒキオコシエキス、ビサボロー
ル、ビワエキス、ブクリョウエキス、プロポリス、ヘチマエキス、ペパーミントエキス、ボダイジュエキス、ホップエキス、マドンナリリー花エキス、マロニエエキス、ムクロジエキス、メリッサエキス、モモエキス、ユキノシタエキス、ユズエキス、ヨモギエキス、ラベンダーエキス、レモンエキス、レンゲソウエキス、ローズマリーエキス、ローヤルゼリーエキス等を挙げることができる。
【００２４】
また、上記天然系の植物抽出成分、海藻抽出成分、生薬成分以外の成分としては、例えばデオキシリボ核酸、コラーゲン、エラスチン、キチン、キトサン、加水分解卵殻膜などの生体高分子、アミノ酸、乳酸ナトリウム、尿素、ピロリドンカルボン酸ナトリウム、ベタイン、ホエイなどの保湿成分、スフィンゴ脂質、セラミド、コレステロール、コレステロール誘導体、リン脂質などの油性成分、ε−アミノカプロン酸、グリチルリチン酸、β−グリチルレチン酸、塩化リゾチーム、グアイアズレン、ヒドロコルチゾン等の抗炎症剤、ビタミン類（Ａ、Ｂ２、Ｂ６、Ｃ、Ｄ、Ｅ）、パントテン酸カルシウム、ビオチン、ニコチン酸アミド、ビタミンＣエステル等のビタミン類、アラントイン、ジイソプロピルアミンジクロロアセテート、４−アミノメチルシクロヘキサンカルボン酸等の活性成分、トコフェロール、カロチノイド、フラボノイド、タンニン、リグナン、サポニン等の抗酸化剤、α−ヒドロキシ酸、β−ヒドロキシ酸などの細胞賦活剤、γ−オリザノール、ビタミンＥ誘導体などの血行促進剤、イソプロピルメチルフェノール、トリクロサン、ヒノキチオール、塩化ベンザルコニウム等の殺菌剤、ｌ−メントール、ハッカ油等の冷感剤、レチノール、レチノール誘導体等の創傷治癒剤等が挙げられる。
【００２５】
本発明の洗浄剤組成物は、洗顔、クレンジング、ボディシャンプー、ハンドソープ、シェービング料、マッサージ料等の皮膚用洗浄剤として好適に使用できる。またそれぞれ、粘性液体、クリーム状等の形態として用いることができ、特に洗顔フォーム、液状ボディシャンプーとして好適に用いられる。
【実施例】
【００２６】
次に本発明の洗浄剤組成物について、実施例をもって詳細に説明するが、本発明はこれにより限定されるものではない。まず、各実施例で採用した試験法、評価法を説明する。
【００２７】
実施例１〜８及び比較例１〜１２
表１及び表２に示す組成の洗浄剤組成物を常法により調製した。初期の泡立ち、泡量、泡質（クリーミィ性）、泡の持続性評価の結果は表１及び表２に併せて示した。なお、以下の全ての実施例及び比較例における配合量は質量％である。
【００２８】
本発明において泡量の評価はミキサー法によって行った。
【００２９】
＜ミキサー法＞
実勢例及び比較例の各組成物を硬度５４ｐｐｍの水を用いて、純分０．５％となるように希釈し、４０℃に調温後、８０ｍＬをミキサーに注入し、ミキサーを回転させる。３０秒後、ミキサーを停止させ、泡の体積を読み取り、泡量とする。
【００３０】
【表１】
2018131542.tif 000002
【００３１】
【表２】
2018131542.tif 000003
【００３２】
表１及び表２より明らかなように、本発明の成分を用いた実施例１〜８の洗浄剤組成物は、比較例１〜１２の組成物に比べて、ミキサー法により生じた泡の体積が大きく、いずれも豊かな泡立ちを示すことが認められた。
【００３３】
以下、本発明の洗浄剤組成物のその他の処方例を実施例９、１０として挙げる。なお、これらの実施例の洗浄剤組成物についても、泡量評価を実施した。
【００３４】
実施例９  洗顔フォーム                                          配合量（質量％）（１）ラウロイルアスパラギン酸Ｎａ                                    １０．０
（２）ココイルメチルタウリンＭｇ                                      １０．０
（３）パルミチン酸カリウム                                              ６．０
（４）ステアリン酸カリウム                                              ６．０
（５）ココイルグリシンＫ                                                ２．０
（６）ラウロイルメチルアラニンＮａ                                      ８．０
（７）塩化ジメチルジアリルアンモニウム・アクリルアミド共重合体          ０．５
（８）コカミドＤＥＡ                                                    ２．０
（９）バラエキス                                                        ０．５
（１０）サピンヅストリホリアツス果実エキス                              ０．５
（１１）モモ葉エキス                                                    ０．５
（１２）アロエベラ葉エキス                                              ０．５
（１３）Ｎ−アセチルグルコサミン                                        ０．５
（１４）カニナバラ果実エキス                                            ０．５
（１５）エデト酸二ナトリウム                                            ０．５
（１６）フェノキシエタノール                                            ０．５
（１７）ＤＰＧ                                                          ０．５
（１８）グリセリン                                                    ３０．０
（１９）香料                                                            ０．２
（２０）精製水                                                            残余
【００３５】
常法により上記組成の洗浄剤組成物を調製し、泡量を評価したところ、泡量に優れる良好な結果を得た。
【００３６】
実施例１０  ボディソープ                                        配合量（質量％）（１）ラウロイルアスパラギン酸Ｎａ                                    １０．０
（２）ココイルメチルタウリンＭｇ                                      １０．０
（３）パルミチン酸カリウム                                              ３．０
（４）ステアリン酸カリウム                                              １．０
（５）ココイルグリシンＫ                                                ２．０
（６）ラウロイルメチルアラニンＮａ                                      ８．０
（７）塩化ジメチルジアリルアンモニウム・アクリルアミド共重合体          ０．５
（８）シア脂                                                            ０．５
（９）バラエキス                                                        ０．５
（１０）サピンヅストリホリアツス果実エキス                              ０．５
（１１）モモ葉エキス                                                    ０．５
（１２）アロエベラ葉エキス                                              ０．５
（１３）Ｎ−アセチルグルコサミン                                        ０．５
（１４）カニナバラ果実エキス                                            ０．５
（１５）エデト酸二ナトリウム                                            ０．５
（１６）フェノキシエタノール                                            ０．５
（１７）ＤＰＧ                                                          ０．５
（１８）グリセリン                                                    ３０．０
（１９）香料                                                            ０．２
（２０）精製水                                                            残余
【００３７】
常法により上記組成の洗浄剤組成物を調製し、泡量を評価したところ、泡量に優れる良好な結果を得た。